【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
ダム湖底に設置した集積体を、排砂ゲート側に摺動させることにより、ダム湖底に堆積した堆砂を排砂ゲート近くに集積することを特徴とする、
ダム堆砂の集積方法。
【請求項２】
排砂ゲート近くに設置したワイヤ折り返し部と、ダム上流側に設けたウインチとの間に張設したワイヤを集積体に連結し、ウインチの駆動により集積体をダム湖底で摺動させることを特徴とする、請求項１に記載のダム堆砂の集積方法。
【請求項３】
ダム湖底に設置した集積体と、
ダム湖底に堆積した堆砂を排砂ゲートの近くに集積すべく、集積体をダム湖底で摺動可能な移動力を生成する移動装置と、を備えたことを特徴とする、
ダム堆砂の集積装置。
【請求項４】
移動装置が、
排砂ゲート近くに設置したワイヤ折り返し部と、
ダム上流側に設置したウインチと、
ワイヤ折り返し部とウインチとの間に張設し、集積体と連結するワイヤと、
からなることを特徴とする、
請求項３に記載のダム堆砂の集積装置。
【請求項５】
平面視して集積体の両側に、それぞれ別のワイヤを設置したことを特徴とする、
請求項４に記載のダム堆砂の集積装置。
【請求項６】
集積体の両側に設置したワイヤのそれぞれに、ウインチおよびワイヤ折り返し部を設置することを特徴とする、
請求項５に記載のダム堆砂の集積装置。
【請求項７】
ワイヤ折り返し部を、平面視して排砂ゲートを両側からはさむ位置に設置したことを特徴とする、
請求項４乃至６のうち何れか１項に記載のダム堆砂の集積装置。
【手続補正２】
【補正対象書類名】明細書
【補正対象項目名】全文
【補正方法】変更
【補正の内容】
【発明の詳細な説明】
【発明の名称】ダム堆砂集積装置と集積方法
【技術分野】
【０００１】
本発明は、ダム堆砂集積装置と集積方法に関するものである。
【背景技術】
【０００２】
ダムの堆砂を浚渫などで除去する場合に、産業廃棄物処理による費用が大きく、また下流側河川、あるいは海岸域への供給は土砂の運搬などの費用が大きいという問題が存在している。
そのためにダム堆砂問題は緊急の課題であるにもかかわらず進展していないのが現状である。
堆砂の除去量をどの程度にするかを考えると、年間に堆積する堆砂量をＶとすると、１年間でＶを上回るＶ＋αの除去ができれば、数年から数十年かけてダム堆砂量を低減することができる。
その場合にαが非常に大きいと、下流の河川環境を急変させることになり、周辺環境へ与える影響が大きい。
したがって下流環境へ与えるインパクトと堆砂除去量の両者をバランスさせた持続可能な堆砂除去対策は、小さなαを選択して時間をかけて除去することになる。
例えば１０年かけて堆砂量を５０％削減するといった方法である。
本願発明はこのような観点を背景に、長期戦となるダム堆砂対策として省力化した、かつ単純な構成で確実に堆砂を減量するために開発したものである。
【０００３】
そこで現在の技術を検討すると、ダム底に堆積した堆砂を集積する方法として次のような技術が知られている。
＜１＞  ダムの水位が下がった状態で、ブルドーザやバックフォーを用いて土砂を掘削して撤去したり、浚渫船で土砂を掬って撤去する方法。
＜２＞  サイフォンの原理を利用して堆砂を排出する方法。（特許文献１）
＜３＞  シートを利用して広範囲の土砂を吸引して堆砂を排除する方法。（特許文献２）
＜４＞  ダム底に排砂管を設置し、この管で広範囲の土砂を吸引して排除する方法。（特許文献３）
＜５＞  ドラッグラインでダム底の土砂を掬いあげる方法。（特許文献４）
【先行技術文献】
【特許文献】
【０００４】
【特許文献１】特開２０００−１２００５１号公報。
【特許文献２】特開２００６−２１４０９２号公報。
【特許文献３】特開２００５−３６４６１号公報。
【特許文献４】特開平５−２０６４１８号公報。
【発明の概要】
【発明が解決しようとする課題】
【０００５】
前記した従来のダム堆砂集積方法において、浚渫や吸引によって堆砂を撤去する方法は、次のような問題点がある。
＜１＞  ピンポイントで堆砂を撤去する方法であるために、きわめて効率が悪い。
＜２＞  撤去位置を移動する回数が多く、広域の堆砂除去には向かない。
＜３＞  浚渫船などの装備が必要となり、不経済である。
【０００６】
また前記した方法で、ドラッグライン掘削による方法は、次のような問題点がある。
＜１＞  バケットの開口部が砂礫によって閉塞してしまう場合が多く、そのたびに閉塞した砂礫などを撤去するという手数を要する。
＜２＞  大量掘削を行うためには、クレーンなどの施設を大型化せざるを得ず、不経済である。
＜３＞  バケットに転石や流木が引っ掛かった場合に転倒しやすく、その際にはいちいち復元する作業が必要となり不経済である。
＜４＞  ドラグラインを操作するための駆動力のエネルギー消費量が多く、運転コストが高い。
＜５＞  一度に線状に大量の掘削をするために、掘削跡が「わだち」のようになり、隣接するラインを掘削する際にバケットが安定せず転倒しやすい状態となる。
＜６＞  バケットが一度転倒すると、その後の姿勢制御が困難である。
【課題を解決するための手段】
【０００７】
上記のような課題を解決するために、本発明のダム堆砂の集積方法は、ダム湖底に設置した集積体を、排砂ゲート側に摺動させることにより、ダム湖底に堆積した堆砂を排砂ゲート近くに集積することを特徴とする。
さらに、本発明のダム堆砂の集積方法は、前記発明において、排砂ゲート近くに設置したワイヤ折り返し部と、ダム上流側に設けたウインチとの間に張設したワイヤを集積体に連結し、ウインチの駆動により集積体をダム湖底で摺動させることを特徴とする。
【０００８】
また、本発明のダム堆砂の集積装置は、湖底に設置した集積体と、ダム湖底に堆積した堆砂を排砂ゲートの近くに集積すべく、集積体をダム湖底で摺動可能な移動力を生成する移動装置と、を備えたことを特徴とする。
さらに、本発明のダム堆砂の集積装置は、移動装置が、排砂ゲート近くに設置したワイヤ折り返し部と、ダム上流側に設置したウインチと、ワイヤ折り返し部とウインチとの間に張設し、集積体と連結するワイヤと、からなることを特徴とする、
さらに、本発明のダム堆砂の集積装置は、平面視して集積体の両側に、それぞれ別のワイヤを設置したことを特徴とする。
さらに、本発明のダム堆砂の集積装置は、集積体の両側に設置したワイヤのそれぞれに、ウインチおよびワイヤ折り返し部を設置することを特徴とする。
さらに、本発明のダム堆砂の集積装置は、ワイヤ折り返し部を、平面視して排砂ゲートを両側からはさむ位置に設置したことを特徴とする。
【発明の効果】
【０００９】
本発明のダム堆砂の集積装置と集積方法は以上説明したようになるから次のような効果を得ることができる。
＜１＞  複雑な駆動部などがなく、きわめて経済的に構成することができる。
＜２＞  一度の移動で広域の作業ができるようになり、移動回数も少なくなる。しかもバケットのように転倒する可能性がなく、操作が不能になったり、回復作業に時間をかけることがなく迅速な作業を行うことができる。
＜３＞  集積体の移動跡が轍のような溝になっても、隣接した除去作業で集積体が転倒することがない。
＜４＞  堆砂を排砂ゲートの近くにいったん集積しておけば、排砂ゲートを開放することで堆砂を下流に流下させることができるため、他のエネルギーを使うことなく、自然流下の状態を確保できる。
【図面の簡単な説明】
【００１０】
【図１】本発明のダム堆砂集積装置の集積体の説明図。
【図２】ダム堆砂の集積方法の実施例の説明図。
【図３】集積体とウインチと重錘の配置の実施例の説明図
【図４】集積体に重量体を取り付けた実施例の説明図。
【図５】集砂量の比較のグラフ。
【図６】集積体に刃を設置した実施例の説明図。
【図７】刃を設置した集積体と設置しない集積体の掻集砂量の比較図。
【発明を実施するための形態】
【００１１】
以下図面を参照しながら本発明の好適な実施の形態を詳細に説明する。
【実施例】
【００１２】
＜１＞本発明の基本構成
本発明は複数の部材、すなわち集積体１と移動装置とによって構成する。
【００１３】
＜２＞集積体（図１）
集積体１は、ダムの堆砂を集積するための部材である。
そのために集積体１は、基本的には単純な角柱のような長尺の部材で構成する。
集積体１の素材は、鋼材だけでなくコンクリート，ＦＲＰ、非鉄金属などで構成することができる。
集積体１は、一定の高さと、一定の幅があればよく、水平に寝かした柱体、断面がＨ型のＨ型鋼のような市販の鋼材、プレハブのコンクリート柱、梁などを転用して使用することができる。
その形状は、図１（ｂ）に示すように角柱の下の縁に刃１５を突設した形状、（ｄ）に示すように角柱の一部に空室１６を設けた形状、（ｅ）に示すように前面に曲面を設けた形状を採用することができる。
あるいは砂利が主体の堆砂の場合には、（ｆ）に示すように、鋼棒を籠１８状に組み立てたものを採用することもできる。
【００１４】
＜３＞移動装置（図２、３）
移動装置は、前記集積体１に移動力を付与するための装置である。
移動装置は、集積体１に連結するワイヤ２と、上記の集積体１に対してワイヤ２を介して移動力を与えるためのウインチ３と、ワイヤ２を折り返すためのワイヤ折り返し部（図２におけるシーブ５）とからなる。
ウインチ３とシーブ５とは、集積体１をはさんで反対側に設置し、シーブ５はダム堤体などの不動点に設置する。
このウインチ３は回転ドラムでワイヤ２を巻き取ったり、巻き出す構造の市販の公知のものであり、それを地上に設置して使用する。
集積体１を平面的に見た場合の両端部にワイヤ２を取り付け、別々のワイヤ２を介して別々のウインチ３で移動力を与えることもできる。
すると長尺の鋼材などで構成した集積体１が湖底の障害物に衝突した場合にも、平面的に傾斜しにくく、あるいは断面的に転倒しにくく、安定した堆砂の集積作業を行うことができる。
反対に、同様の理由で自在に平面的な向きを制御することもできる。
あるいは集積体１に移動力を与えるワイヤ２の折り返し用に、湖底に沈めた重錘６と、その重錘６に取り付けたシーブ５を利用することもできる。
重錘６を排砂ゲートの近くに設置すれば、その付近に向けて堆砂を効率よく集積することができる。
集積体１とワイヤ２を直接に接合せず、鋼材などの重量を有するチェーン２１を介在させると集積体１により湖底を抑えつける大きい力が作用するから、より効率的である。
【００１５】
＜４＞その他の装置
さらに、集積体１に超音波ソナーや水中カメラを取り付け、陸上にはそれらからの信号を受ける観測装置を設置して構成することもできる。
このように構成することによって、集積体１の移動軌跡の確認、記録などが可能となり、集積作業の取り残しや、重複作業の回避を行うことができる。
【００１６】
＜５＞堆砂の集積
上記の集積体１を使用して堆砂を集積する方法を説明する。
陸上のウインチ３に巻きつけたワイヤ２を、対象位置のシーブ５で反転してウインチ３に戻す。
対象位置のシーブ５は陸上に設置することになるので、そのままでは集積体１を持ちあげる力が作用する。
そこで湖底に重錘６を設置し、ワイヤ２は重錘６に設けた固定シーブ５を介在させる。
こうしてウインチ３を回転させることによって、集積体１の湖底面を移動させ、湖底面を引きずることで堆砂を掻き集めることができる。
掻き集めた堆砂は、排砂ゲートの近くに集積して、排砂ゲートを開放した際に下流に排出する。
またゲートではなく、サイフォンやポンプを利用する排砂の場合にはそれらの吸引口の周辺に堆砂を集めておき、操作時に下流に排出する。
集積体１を移動する際に、平面視で集積体１の両端に別のワイヤ２、ウインチ３、シーブ５を取り付けることによって、ワイヤ２の張力、巻き取り量を調整して集積体１の姿勢を制御できる。
特に湖底面の硬さや凹凸などで集積体１が傾いたり転倒しやすい場合には２本のワイヤ２を操作する構成では回収率が向上して有効である。
上記したように重錘６を排砂ゲートの近くに設置すれば、その付近に堆砂を効率よく集積することができるが、重錘６を排砂ゲートを挟む位置に設置すれば集積する効率がさらに向上する。
【００１７】
＜６＞重量体付き集積体（図４）
長尺の鋼材などで構成した集積体に、それと一定の距離を離して重量体を取り付けて構成することができる。
そのために例えば集積体の移動方向に対して後方に支持材を取り付け、その支持材に重量体を取り付ける。（以下「前」「後」とは集積体の移動方向を前とした前後の意味である）
この重量体は鉄やコンクリートなどの重量を備えた塊体であればよい。
図４の実施例では、集積体とほぼ同一の長さを有する鋼材を、集積体と平行に位置させて重量体として採用したものである。
この重量体には、前記の実施例と同様に空気袋を取り付ける。
この空気袋にはエアチューブを介して水上あるいは陸上からエアを供給して膨張させ、重量体と集積体に浮力を与えて浮上させることができる。
集積体の下縁には移動方向に向けて刃１５を突設することもできる。
【００１８】
＜７＞重量体の機能
重量体の上方にワイヤやチェンを取り付けて前方に牽引すると、重量体は、その下縁を回転中心として前方に転倒しやすい。
しかし図４の実施例のように、回転中心から後方に一定の距離だけ離して重量体を取り付けておくと、回転に対する抵抗を大きくすることができる。
模型実験では、Ｈ型鋼を寝かしただけの集積体と、Ｃ型鋼の後方に重量体を取り付けた実施例のタイプとを牽引してその集砂量の比較を行った。
その結果図５に示すように、後方に重量体を設けた本実施例の構成では、それを設けない構成と比較して約３倍の量の砂を集めることができた。
【００１９】
＜８＞刃付き集積体（図６）
集積体の後方に重量体を取り付け、さらに集積体の前方下部に刃を突設した構成を採用することもできる。
このように構成すると、後方に重量体を備えているが、しかし集積体に刃を設けていない構造との間で掻集砂量に明確な違いが発生することが分かる。
すなわち図７では、例えば自重１ｋｇの集積体の上方を牽引するタイプでは、「刃なし」では掻集砂量は約２ｋｇ弱であるのに対して、「刃付き」では３ｋｇ強まで上昇した結果が出ている。
このように後方に重量体を取り付け、かつ前方に向けて刃を設けたタイプでは、砂の内部に潜り込まず、砂が覆い被さることがないから、根掛かりのリスクが減少し、浮上も容易である。
【符号の説明】
【００２０】
１：集積体
１１：空気袋
１２：エアチューブ
１３：排気チューブ
１４：注排水チューブ
１５：ブイ
１７：曲面
１８：籠
２：ワイヤ
２１：チェーン
３：ウインチ
５：シーブ
６：重錘
７：重量体
【手続補正３】
【補正対象書類名】図面
【補正対象項目名】全図
【補正方法】変更
【補正の内容】
【図１】
2015135056.tif 000001
【図２】
2015135056.tif 000002
【図３】
2015135056.tif 000003
【図４】
2015135056.tif 000004
【図５】
2015135056.tif 000005
【図６】
2015135056.tif 000006
【図７】
2015135056.tif 000007